(57)【特許請求の範囲】
【請求項１】
情報通信網との通信手段と小型の表示画面と操作手段を有する通信機器と、大型の表示画面とストレージメモリと操作手段を有する情報機器と、前記通信機器と前記情報機器の間で情報交信を可能とする接続手段からなる情報通信システムにおいて、
前記通信機器は、前記情報通信網を通じてコンテンツの情報をダウンロードする際、コンテンツの情報の概要の確認を前記通信機器の小型の表示画面で可能にする手段と、ダウンロードしたいコンテンツの情報の詳細を前記接続手段を用いて前記情報機器にダウンロードし、前記情報機器のストレージメモリ領域に格納し前記情報機器の大型の表示画面で表示する手段を有することを特徴とする情報通信システム。
【請求項２】
請求項１の情報通信システムにおいて、前記接続手段は、前記通信機器と前記情報機器の電気的な接続状態を保ち、互いの機器の間で情報の送受信が可能であり、かつ、前記情報機器から前記情報通信網へのコンテンツの選択などの要求情報を送信可能にしたことを特徴とする情報通信システム。
【請求項３】
請求項２の情報通信システムにおいて、コンテンツの情報を前記情報機器にダウンロードしている間、ダウンロードの進行状況を前記通信機器の表示画面に表示する手段を有することを特徴とする情報通信システム。
【請求項４】
請求項３の情報通信システムにおいて、ユーザによるコンテンツの選択がなされた時、コンテンツの情報のデータサイズと前記情報機器のストレージメモリ領域の残量を比較し、前記情報機器のストレージメモリ領域の残量が不足している場合にはダウンロードを中止する手段を有することを特徴とする情報通信システム。
【請求項５】
請求項４の情報通信システムにおいて、ダウンロードを中止する際、前記通信機器の表示画面にダウンロードを中止する旨を表示し、ユーザにダウンロードの中止を示す手段を有することを特徴とする情報通信システム。
【請求項６】
請求項２の情報通信システムにおいて、前記情報通信網を通じてダウンロードを要求するコンテンツを前記通信機器によって指定し、指定したコンテンツの情報を前記情報機器にダウンロード中、前記情報機器へのダウンロードと同時に前記コンテンツの情報を前記情報機器の表示画面に表示する手段を有したことを特徴とする情報通信システム。
【請求項７】
請求項２の情報通信システムにおいて、前記コンテンツの情報をダウンロードする際、そのダウンロードしたコンテンツの情報の内部に含まれるタグなどの情報により、そのコンテンツの情報が前記通信機器の小型の表示画面に表示するものか、あるいは前記情報機器の大型の表示画面に表示するものかを判断する判断手段と、この判断手段によって前記コンテンツの情報が前記小型の表示画面に表示するものであると判断した場合はその情報をその小型の表示画面に表示し、あるいは前記コンテンツの情報が前記大型の表示画面に表示するものであると判断した場合はその情報をその大型の表示画面に表示する表示制御手段とを有したこと特徴とする情報通信システム。
【請求項８】
請求項２の情報通信システムにおいて、前記コンテンツの情報をダウンロードする際、そのダウンロードしたコンテンツの情報のデータサイズにより前記コンテンツの情報が前記通信機器の小型の表示画面に表示するものか、あるいは前記情報機器の大型の表示画面に表示するものかを判断する判断手段と、この判断手段によって前記コンテンツの情報が前記小型の表示画面に表示するものであると判断した場合はその情報を前記小型の表示画面に表示し、あるいは前記コンテンツの情報が前記大型の表示画面に表示するものであると判断した場合はその情報をその大型の表示画面に表示する表示制御手段とを有することを特徴とする情報通信システム。
【請求項９】
請求項２の情報通信システムにおいて、前記情報機器にダウンロード中のコンテンツの情報のデータサイズがある一定のサイズを超えたものであるときは、そのコンテンツの情報が前記情報機器の大型の表示画面に表示するものであると判断する手段と、そのコンテンツの情報がその大型の表示画面に表示するものであると判断した場合はその情報をその大型の表示画面に表示する表示制御手段とを有することを特徴とする情報通信システム。
【請求項１０】
請求項２の情報通信システムにおいて、前記情報通信網を通じてダウロードを要求するコンテンツを前記通信機器によって指定し、前記通信機器でダウンロードを要求すると共に、前記通信機器が前記接続手段を用いて前記情報機器にダウンロードする際、ダウンロードしたコンテンツの情報のうち、テキストデータなどの前記通信機器の小型の表示画面で表示可能な部分のみ抽出して前記通信機器の小型の表示画面に表示し、かつコンテンツ全体の情報を前記情報機器にダウンロードして、前記情報機器のストレージメモリに保存する手段を有することを特徴とする情報通信システム。
【発明の詳細な説明】
【０００１】
【発明の属する技術分野】
本発明は、通信網に接続し、通信網を通じてコンテンツデータの閲覧やダウンロードが可能な情報通信システムに関する。
【０００２】
【従来の技術】
近年、データ通信力が非常にポピュラーになり、個人による固定網接続によるデータ通信は元より、携帯電話など、小型の移動体通信端末により移動体通信網を通じてインターネットにアクセスし、インターネット上のコンテンツの中から、個人の関心のある情報や、仕事上の情報に接続し、前記移動体通信端末の画面上で指示することにより文字情報や画像、電子メールなどを前記移動体通信端末で手軽に受信することができる様になっている。
【０００３】
また、より表示画面が大きく、データ処理能力の高い情報端末を通信端末に接続し、前記通信端末を介してインターネットにアクセスし、より詳しい情報やより大きなサイズのデータを取得することも行われている。
【０００４】
【発明が解決しようとする課題】
一般的にインターネット上のコンテンツは、まず、コンテンツデータのタイトルや情報の概要などが表示され、それぞれがデータや情報の詳細へのリンクになっている場合が多い。
【０００５】
しかしながら、前記移動体通信端末による接続では、インターネットへ手軽に接続できる反面、携帯性の要求から音声通話が可能である片手に収まる程度のサイズである必要があり、自ずと情報表示画面の大きさが限られてくる。また、移動体通信端末は、前記情報端末に比べてデータ処理能力も低く、ストレージメモリの容量も小さいため、情報表示も小さい画面で閲覧できる、テキストデータや小さな画像など、サイズの小さいものに限られ、ダウンロードできるデータも小さいものに限られてくる。このため、情報の詳細や大きなデータのダウンロードを行いたい時は、再度、前記情報端末にて接続し直さなければならない。
【０００６】
一方、前記通信端末と前記情報端末の組み合わせによる接続では、より詳しい情報や大きな画像、サイズの大きなダウンロードデータのダウンロードも可能であるが、インターネットへの接続の際に、いちいち前記通信端末に接続しなければならず、また、ダウンロードするデータの指示を前記情報端末上で行わなければならないため、情報の概要の確認など、大きな表示画面の必要が無い場合でも、前記情報端末をかばんなどから取り出す必要がある。
【０００７】
このように、前記従来例では、前記移動体通信端末でインターネットに接続する際は、手軽ではあるが受け取れる情報の量が少ない、あるいは前記情報端末による接続では受け取れる情報の量は多いが、接続に手間がかかるという問題点があった。
【０００８】
一方、従来の特開平１１−１４５９５５号公報開示の「情報通信システム、情報処理端末装置」において、通信端末装置を介して携帯端末装置に音楽・文字データを選択的にダウンロードする主にカラオケオンデマンドシステムを想定した方式が提案されている。しかるに、このシステムにおける携帯端末装置は、前記情報端末とは異なり装置の物理的なサイズの制約から表示機能やダウンロードデータ格納量を十分確保できるものではない。また、常に身につけて利用する携帯通信端末や携帯情報端末のように、その使い勝手を考慮して、当該データを格納したり表示する端末を選択できる機能を有するものではない。このようにデータ量や内容に応じてデータの格納や表示に最も適した情報端末にダウンロード出来ないためデータ量が日々増大するサービスに対応できないという問題点があった。
【０００９】
本発明は、前記のそれぞれの問題を抱える２つの機器を一つの通信システムとして、インターネットなどデータネットワークへの接続と情報の概要の閲覧など及び、ダウンロードするデータの指示は小型の通信機器で行い、より詳細なデータの閲覧やダウンロードしたデータの保存を情報機器ですることができるようにする情報通信システムを提供することを課題とする。
【００１０】
【課題を解決するための手段】
前記課題を解決するため、本発明は、次の構成を有する。
本発明は、情報通信網との通信手段と小型の表示画面と操作手段を有する通信機器と、大型の表示画面とストレージメモリと操作手段を有する情報機器と、前記通信機器と前記情報機器の間で情報交信を可能とする接続手段からなる情報通信システムにおいて、前記通信機器は、前記情報通信網を通じてコンテンツの情報をダウンロードする際、コンテンツの情報の概要の確認を前記通信機器の小型の表示画面で可能にする手段と、ダウンロードしたいコンテンツの情報の詳細を前記接続手段を用いて前記情報機器にダウンロードし、前記情報機器のストレージメモリ領域に格納し前記情報機器の大型の表示画面で表示する手段を有することを特徴とする情報通信システムである。
本発明の情報通信システムにおいて、前記接続手段は、前記通信機器と前記情報機器の電気的な接続状態を保ち、互いの機器の間で情報の送受信が可能であり、かつ、前記情報機器から前記情報通信網へのコンテンツの選択などの要求情報を送信可能にしたことが好適である。
また、本発明の情報通信システムにおいて、コンテンツの情報を前記情報機器にダウンロードしている間、ダウンロードの進行状況を前記通信機器の表示画面に表示する手段を有することが好適である。
また、本発明の情報通信システムにおいて、ユーザによるコンテンツの選択がなされた時、コンテンツの情報のデータサイズと前記情報機器のストレージメモリ領域の残量を比較し、前記情報機器のストレージメモリ領域の残量が不足している場合にはダウンロードを中止する手段を有することが好適である。
また、本発明の情報通信システムにおいて、ダウンロードを中止する際、前記通信機器の表示画面にダウンロードを中止する旨を表示し、ユーザにダウンロードの中止を示す手段を有することが好適である。
また、本発明の情報通信システムにおいて、前記情報通信網を通じてダウンロードを要求するコンテンツを前記通信機器によって指定し、指定したコンテンツの情報を前記情報機器にダウンロード中、前記情報機器へのダウンロードと同時に前記コンテンツの情報を前記情報機器の表示画面に表示する手段を有したことが好適である。
また、本発明の情報通信システムにおいて、前記コンテンツの情報をダウンロードする際、そのダウンロードしたコンテンツの情報の内部に含まれるタグなどの情報により、そのコンテンツの情報が前記通信機器の小型の表示画面に表示するものか、あるいは前記情報機器の大型の表示画面に表示するものかを判断する判断手段と、この判断手段によって前記コンテンツの情報が前記小型の表示画面に表示するものであると判断した場合はその情報をその小型の表示画面に表示し、あるいは前記コンテンツの情報が前記大型の表示画面に表示するものであると判断した場合はその情報をその大型の表示画面に表示する表示制御手段とを有したことが好適である。
また、本発明の情報通信システムにおいて、前記コンテンツの情報をダウンロードする際、そのダウンロードしたコンテンツの情報のデータサイズにより前記コンテンツの情報が前記通信機器の小型の表示画面に表示するものか、あるいは前記情報機器の大型の表示画面に表示するものかを判断する判断手段と、この判断手段によって前記コンテンツの情報が前記小型の表示画面に表示するものであると判断した場合はその情報を前記小型の表示画面に表示し、あるいは前記コンテンツの情報が前記大型の表示画面に表示するものであると判断した場合はその情報をその大型の表示画面に表示する表示制御手段とを有することが好適である。
また、本発明の情報通信システムにおいて、前記情報機器にダウンロード中のコンテンツの情報のデータサイズがある一定のサイズを超えたものであるときは、そのコンテンツの情報が前記情報機器の大型の表示画面に表示するものであると判断する手段と、そのコンテンツの情報がその大型の表示画面に表示するものであると判断した場合はその情報をその大型の表示画面に表示する表示制御手段とを有することが好適である。
また、本発明の情報通信システムにおいて、前記情報通信網を通じてダウロードを要求するコンテンツを前記通信機器によって指定し、前記通信機器でダウンロードを要求すると共に、前記通信機器が前記接続手段を用いて前記情報機器にダウンロードする際、ダウンロードしたコンテンツの情報のうち、テキストデータなどの前記通信機器の小型の表示画面で表示可能な部分のみ抽出して前記通信機器の小型の表示画面に表示し、かつコンテンツ全体の情報を前記情報機器にダウンロードして、前記情報機器のストレージメモリに保存する手段を有することが好適である。
【００１１】
前記のように、本発明によれば、通信機器は、前記情報通信網を通じてコンテンツの情報をダウンロードする際、コンテンツの情報の概要の確認を前記小型の表示画面で可能にして、ダウンロードしたいコンテンツの情報の詳細を前記接続手段を用いて前記情報機器にダウンロードし、前記情報機器のストレージメモリ領域に格納し前記情報機器の大型の表示画面で表示するので、通信操作自体を小型の通信機器で行い、大きな前記情報機器はかばんやバッグなどの収容具の中に入れたままで、コンテンツの情報（データ）を前記情報機器にダウンロードできるという利点がある。
また、前記通信機器で閲覧できる情報のうち、さらに詳しい情報を入手したいと言うような情報が無い場合、わざわざ前記情報機器を出す必要が無く、必要な時のみ取り出せば良いという利点もある。
さらには、コンテンツのデータサイズよりも情報機器のストレージメモリの残量が不足している場合にダウンロードを中止して、ダウンロードの失敗および無駄な課金を防止できる。
【００１２】
【発明の実施の形態】
以下、図面を用いて本発明の実施の形態を説明する。
図１は本発明の一実施形態として、通信機器１０１と情報機器１０４と接続手段１０７を含む情報通信システムを示している。通信機器１０１は小型の移動体通信端末と同様にインターネット回線などのデータ通信網への接続手段と情報機器１０４への接続手段１０７を有し、小型の表示画面１０２と操作手段１０３を有している。また、情報機器１０４は大型の表示画面１０５と操作手段１０６と通信機器１０１との接続手段１０７を有し、公衆回線への接続機能は持っていない。接続手段１０７は通信機器１０１と情報機器１０４の電気的な接続状態を保ち、それぞれの間でのデータの送受信、ストレージメモリ残量問い合わせやデータダウンロード要求などの要求情報の送受信の機能を備えている。なお、この接続手段１０７は無線か有線かいずれとすることや接続のプロトコルの種類などは問わない。
【００１３】
通信機器１０１と情報機器１０４は接続手段１０７で接続されており、簡単な情報の閲覧は通信部１０１単独で行い、詳細な情報や画像、大きなサイズのデータを通信先からダウンロードや表示する際には情報機器１０４を使用する。
【００１４】
図２は実施形態に係る情報通信システム２０１の制御および処理系構成の概略を示すブロック図であり、図１の情報通信システムと共通するが、図１のシステム以外のものも含む。本情報通信システム２０１は、通信機器２０２と情報機器２１８とそれら二つを結ぶ接続手段２２８を含む。すなわち、通信機器２０２は、データ通信網との送受信を行うためのアンテナ２０３と無線送受信部２０４と、送信信号に対する符号化や受信信号の複号などを行うベースバンド信号処理部２０５と、音声信号処理部２０６と、前記音声信号処理部２０６と接続されているマイク２０７およびスピーカ２０８と、ユーザへの各種通知や情報を画面に文字あるいは図形表示するためのＬＣＤ（液晶素子）２０９と、前記ＬＣＤ２０９を制御するためのＬＣＤドライバ２１０と、ユーザが通信機器２０２へ指示を出したり、文字などを入力するために用いるＫＥＹ２１１と、位置登録および発呼など通信制御などを行うプログラムが格納されているＲＯＭ２１２と、前記プログラムを実行するためのワーキングエリアやデータの保存のために用いられるＲＡＭ２１３と、情報機器２１８と接続するために用いられるＩ／Ｏ２１４と、前記各種デバイスにＩ／Ｏ２１５、２１６などを介して接続され、ＲＯＭ２１２に保存されているプログラムを処理し、その他のデバイスを制御するＣＰＵ２１７を有している。
【００１５】
また、情報機器２１８は、ユーザへの各種通知や情報を表示するための大型のＬＣＤ２１９と、前記ＬＣＤ２１９を制御するためのＬＣＤドライバ２２０と、ユーザが情報機器へ指示を出したり、文字などを入力したりするために用いるＫＥＹ２２１、ＰＩＭなど、アプリケーションプログラムなどのプログラムが格納されているＲＯＭ２２２と、前記プログラムを実行するためのワーキングエリアやデータ保存のために用いられるＲＡＭ２２３と、通信機器２０２と接続するために用いられるＩ／Ｏ２２４と、前記各種デバイスにＩ／Ｏ２２５、２２６を介して接続され、前記ＲＯＭ２２２に格納されているプログラムを処理し、その他のデバイスを制御するＣＰＵ２２７を有している。
【００１６】
通信機器２０２と情報機器２１８はそれぞれ接続手段２２８で、分離した状態でも前記Ｉ／Ｏ２１４、２２４を介して無線もしくは有線で電気的に接続されている状態にあることが出来る。
【００１７】
図３は本実施形態の情報通信システムにおいて、データ通信網からデータをダウンロードするための手順を示すフローチャートであり、各ステップを３０１〜３０６で示している。
まず、手軽に前記データ通信網に接続するために、ユーザは図１の通信機器１０１でデータ通信網に接続する（ステップ３０１）。通信網上のコンテンツのタイトルや情報の概要を通信機器１０１の表示画面１０２に表示し、ユーザが必要なデータの有無を確認する（ステップ３０２）。ユーザが必要なデータを発見した場合は（ステップ３０３：Ｙｅｓ）、前記データのダウンロードの指示を操作手段１０３でユーザが行い（ステップ３０５）、前記データを情報機器へのダウンロードを開始する（ステップ３０６）。一方、必要なデータが発見できない場合は（ステップ３０３：Ｎｏ）、引き続き必要なデータの有無の確認を継続するか、データ通信網から切断する（ステップ３０４）。
【００１８】
図４は本実施形態に係る情報通信システム４０１（通信機器４０３、情報機器４０４）で、データ通信網４０２からデータをダウンロードする際の処理内容とメッセージやデータのやり取りを示している。情報通信システム４０１には図１や図２の情報通信システムを使用できる。また、図４は情報伝達および処理動作のシーケンスを示したフローチャートであり、各ステップを符合（ステップ４０５）〜（ステップ４２２）で示している。
【００１９】
本実施形態の情報通信システム４０１が前記データ通信網４０２に接続した時、通信機器４０３は前記データ通信網４０２に対し、コンテンツの堤供を要求する（ステップ４０５）。それを受けた、前記データ通信網４０２は通信機器４０３に対しコンテンツの配信を開始し、通信機器４０３によるコンテンツのダウンロードが開始される（ステップ４０６）。通信機器４０３を操作中のユーザはダウンロードしたコンテンツを閲覧し、必要なデータがあるかどうかを確認する（ステップ４０７）。ユーザが必要なデータを見つけた場合、通信機器４０３に対し、必要なデータのダウンロードを指示する（ステップ４０８）。ユーザによるデータのダウンロードの指示を受けた通信機器４０３はデータ通信網４０２に対し、ダウンロードするデータのデータサイズの報告を要求する（ステップ４０９）。データサイズの要求を受けた前記デ−タ通信網４０２は、前記データのデータサイズを通信機器４０３に対し配信する（ステップ４１０）。
次に、通信機器４０３は情報機器４０４に対し、該情報機器４０４の空ストレージメモリサイズの報告を要求する（ステップ４１１）。空ストレージメモリサイズの報告の要求を受けた情報機器４０４は自分の空ストレージメモリサイズを確認し、通信機器４０３に対し、空ストレージメモリサイズを報告する（ステップ４１２）。
データサイズと空ストレージメモリサイズを受けた通信機器４０３は空ストレージメモリサイズがデータをダウンロードするために十分なサイズであるかどうかを比較する（ステップ４１３）。比較の結果、空ストレージのサイズが十分でなくダウンロードが不可能あるいは困難であると判断した場合（ステップ４１４）は図５の様にダウンロードを中止することを通信機器４０３の表示画面５０１（図１の表示画面１０２あるいは図２のＬＣＤ２０９などでも同様）に表示し（ステップ４１５）、ダウンロードを中止する（ステップ４１６）。一方、空ストレージのサイズが十分でダウンロードが可能あると判断した場合（ステップ４１７）、データのダウンロード要求をデータ通信網４０２に対し送信する（ステップ４１８）。データダウンロード要求４１７を受けたデータ通信網４０２は通信機器４０３に対し、該当するデータの配信を開始する（ステップ４１９）。
データの配信を受けた通信機器４０３はダウンロードしたデータを情報機器４０４に配信する（ステップ４２０）。データの配信を受けた情報機器４０４は、受信したデータを自分のストレージメモリに保存する（ステップ４２１）。また、同時に通信機器４０３の表示画面にデータのダウンロード状況を表示する（ステップ４２２）。
【００２０】
なお、データ通信網がコンテンツを配信する際に（ステップ４０６）、コンテンツ上に含まれる各データのデータサイズを同時に配信し、通信機器４０３がユーザによりダウンロードの指示を受けた（ステップ４０８）時にデータ通信網４０２上のデータのデータサイズを要求しなくても良いようにすることも可能である。
【００２１】
図６は情報通信システム６０１で、データ通信網６０２に接続し、コンテンツを閲覧する際の処理内容とメッセージやデータのやり取りを示している。なお、通信機器６０３と情報機器６０４は図１、図２の通信機器と情報機器と同様の構成にでき、それらの間は無線か有線などの何らかの接続手段で接続されている。また、図６は情報伝達シーケンスを示したフローチャートであり、各ステップを符合（ステップ６０５）〜（ステップ６１２）で示している。
【００２２】
通信機器６０３がデータ通信網６０２に接続した時、通信機器６０３はデータ通信網６０２に対し、コンテンツの提供を要求する（ステップ６０５）。それを受けたデータ通信網６０２は通信機器６０３に対しコンテンツの配信を開始する（ステップ６０６）。コンテンツの配信を受けた通信機器６０３は前記コンテンツが情報の概要（もしくは、携帯電話など用の小さいデータ）である場合は、通信機器６０３の画面上に表示する。その表示により、ユーザはコンテンツの内容を確認し、さらに情報が必要な場合はその旨を通信機器６０３に対し指示する（ステップ６０８）。ユーザによるデータ配情の要求を受けた通信機器６０３はデータ通信網６０２に対し、該当コンテンツの配信要求を送信する（ステップ６０９）。前記要求を受けたデータ通信網６０２は該当コンテンツを通信機器６０３に対し配信する（ステップ６１０）。該当コンテンツを受けた通信機器６０３はそのコンテンツが情報の詳細（もしくは、画像などを含む大きいデータ）である場合は、該当コンテンツを情報機器６０４に配信する（ステップ６１１）。前記該当コンテンツを受信した情報機器６０４は該当コンテンツを情報機器６０４の表示画面に対し表示する（ステップ６１２）。
【００２３】
以下、配信されるコンテンツが情報の詳細（もしくは、画像などを含む大きいデータ）である間は情報機器６０４で表示、ユーザによる操作を行い、また、配信されるコンテンツが情報の概要（もしくは携帯電話など用の小さいデータ）である場合は、通信機器６０３で表示、ユーザによる操作を行う。
【００２４】
以上において、配信されるコンテンツが情報の概要であるか、情報の詳細であるかの判断は、コンテンツ配信時に付加される情報（タグなど）で判断するか、もしくは、コンテンツ配信完了までのデータのサイズで判断するか、もしくは配信中のコンテンツのサイズがある一定の閾値を超えた時に詳細であると判断するなど、様々な方法で判断を行うことができる。
【００２５】
図７は実施形態の情報通信システム７０１で、データ通信網７０２に接続し、コンテンツを閲覧する際の処理内容とメッセージやデータのやり取りを示している。なお、通信機器７０３と情報機器７０４は、図１、図２の通信機器と情報機器と同様の構成にでき、それらの間は無線か有線などの何らかの接続手段で接続されている。また、図７は情報伝達シーケンスを示したフローチャートであり、各ステップを符合（ステップ７０５）〜（ステップ７１４）で示している。
【００２６】
通信機器７０３が前記データ通信網７０２に接続した時、通信機器７０３はデータ通信網７０２に対し、コンテンツの提供を要求する（ステップ７０５）。それを受けた、データ通信網７０２は通信機器７０３に対しコンテンツ（の概要）の配信を開始する（ステップ７０６）。コンテンツの配信を受けた通信機器７０３はコンテンツが情報の概要（もしくは、携帯電話など用の小さいデータ）である場合は、通信機器７０３の画面上に表示する。その表示により、ユーザはコンテンツの内容を確認し、さらに情報が必要な場合はその旨を通信機器７０３に対し指示する（ステップ７０８）。ユーザによるデータ配信の要求を受けた通信機器７０３はデータ通信網７０２に対し、該当コンテンツの配信要求を送信する（ステップ７０９）。前記要求を受けたデータ通信網７０２は、該当コンテンツを通信機器７０３に対し配信する（ステップ７１０）。該当コンテンツを受けた通信機器７０３はそのコンテンツが情報の詳細（もしくは、画像などを含む大きいデータ）である場合は、前記該当コンテンツを情報機器７０４に配信する（ステップ７１１）。同時に、前記該当コンテンツ中からテキストデータなどを抜き出し（ステップ７１２）、通信機器７０３の表示画面に前記テキストデータなどを表示する（ステップ７１３）。該当コンテンツを受信した前記情報機器７０４は該当コンテンツを情報機器７０４のストレージメモリに保存する（ステップ７１４）。
【００２７】
以下、配信されるコンテンツが情報の詳細（もしくは、画像などを含む大きいデータ）である間は通信機器７０３でテキストデータを抜き取り、通信機器７０３の表示画面に表示すると同時に、情報機器７０４に配信し、前記情報機器７０４に保存する。また、配信されるコンテンツが情報の概要（もしくは携帯電話など用の小さいデータ）である場合は、通信機器７０３で表示し、いずれの場合も操作は通信機器７０３で行う。
【００２８】
【発明の効果】
以上の説明したように、本発明の情報通信システムによれば、ダウンロードするデータの選択を小型の通信機器で行い、データの保存は情報端末部に行うということで、大きな情報機器をかばんなどから取り出し、再度情報機器にて接続しに行く、もしくはダウンロードするデータが存在するかどうか分からない状態から情報機器で接続に行くと言う手間を省くことができる。
【００２９】
また、データのダウンロード状況を通信機器の表示画面に表示することにより、ダウンロードの進行状況を確認することができる。
【００３０】
また、データのダウンロード可能容量を事前に確認することにより、前記ストレージメモリ容量の不足によるダウンロードの失敗を防ぎ、無駄な通信料金を発生させない効果がある。
【００３１】
また、情報の閲覧をする際、小型の表示部で表示可能な情報に関しては通信機器の表示画面で表示し、画像などを含むさらに詳しい情報のみ情報機器の表示画面で表示するということにより、詳細な情報の閲覧のために再度情報端末部を用いて接続に行く、もしくは詳細な情報が必要であるかどうか分からない状態から情報機器を用いて接続に行くと言う手間を省くことが出来る。
【００３２】
また、詳細な情報の閲覧をする際、小型の表示部で表示可能な内容のみを抽出し、通信機器で表示し、同時に情報の全体は情報機器に保存することにより、まず、気になる情報のみを選択しておき、後でゆっくりと情報機器に保存されている気になる情報の詳細を閲覧するということも可能である。
【図面の簡単な説明】
【図１】本発明の実施形態に係る情報通信システムを示す斜視説明図である。
【図２】本実施の形態に係る情報通信システムを構成する通信機器と情報機器部の構成を示すブロック図である。
【図３】本実施形態に係る情報通信システムのデータ通信網接続時の処理動作を示したフローチャートである。
【図４】本実施形態に係る情報通信システムのデータ通信網接続時の通信機器と、情報機器の具体的な情報伝達および処理動作を示したフローチャートである。
【図５】本実施形態に係る情報通信システムの通信機器におけるディスプレイ画面の表示例を示した斜視図である。
【図６】本実施形態に係る情報通信システムのデータ通信網接続時の通信機器と情報機器の具体的な別の処理動作を示したフローチャートである。
【図７】本実施形態に係る情報通信システムのデータ通信網接続時の通信機器と情報機器の具体的なさらに別の処理動作を示したフローチャートである。
【符号の説明】
１０１，２０２，４０３，６０３，７０３  通信機器
１０２、５０１  通信機器の表示画面
１０３  キー
１０４，２１８，４０４，６０４，７０４  情報機器
１０５  情報機器表示画面
１０６  キー
１０７，２２８  接続手段
２０１，４０１，６０１，７０１  情報通信システム
２０３  アンテナ
２０４  無線送受信部
２０５  ベースバンド処理部
２０６  音声信号処理部
２０７  マイク
２０８  スピーカ
２０９  ＬＣＤ
２１０  ＬＣＤドライバ
２１１  入力ＫＥＹ
２１２  ＲＯＭ
２１３  ＲＡＭ
２１４  Ｉ／Ｏポート
２１５  Ｉ／Ｏポート
２１６  Ｉ／Ｏポート
２１７  ＣＰＵ
２１９  ＬＣＤ
２２０  ＬＣＤドライバ
２２１  入力ＫＥＹ
２２２  ＲＯＭ
２２３  ＲＡＭ
２２４  Ｉ／Ｏポート
２２５  Ｉ／Ｏポート
２２６  Ｉ／Ｏポート
２２７  ＣＰＵ
４０２，６０２，７０２  データ通信網
【図１】
0003569193.tif 000002
【図２】
0003569193.tif 000003
【図３】
0003569193.tif 000004
【図４】
0003569193.tif 000005
【図５】
0003569193.tif 000006
【図６】
0003569193.tif 000007
【図７】
0003569193.tif 000008